(57)【要約】【課題】書込対象領域が未記録であるときと書込済みであるときとの双方において、再生される信号が最も好適な信号となる記録レーザパワーでもってデータの記録を行う。【解決手段】記録パワー取得手段１は、書込対象領域が未記録領域となるときには未使用の試し書き領域を用いて最適記録パワーを求め、書込対象領域が記録済み領域となるときには、書込対象領域へのデータの書き込みに用いられた記録レーザパワーを用いて試し書き領域に予備書き込みを行った後、予備書き込みを行った試し書き領域を用いて最適記録パワーを求める。【選択図】  図１
2006216128.tif 000002
【特許請求の範囲】
【請求項１】
光ディスクの試し書き領域に試し書きを行うことにより、データ領域にデータを書き込むときの最適記録パワーを求める記録パワー取得手段と、
データの書き込みの対象となっているデータ領域である書込対象領域に、記録パワー取得手段によって求められた最適記録パワーを記録レーザパワーとしてデータの書き込みを行うデータ書込手段とを備え、
書込対象領域がデータが書き込みされていない未記録領域となるときの記録パワー取得手段における最適記録パワーの取得方法と、書込対象領域が既にデータの書き込みが行われている記録済み領域となるときの記録パワー取得手段における最適記録パワーの取得方法とを異なる方法とした光ディスク装置において、
データ書込手段がデータ領域にデータの書き込みを行ったときの記録レーザパワーとデータ領域とを対応付けた情報であるレーザパワー情報を光ディスクの所定領域に記録するレーザパワー記録手段を備え、
記録パワー取得手段は、書込対象領域が未記録領域となるときには未使用の試し書き領域を用いて最適記録パワーを求め、書込対象領域が記録済み領域となるときには、書込対象領域へのデータの書き込みに用いられた記録レーザパワーを用いて試し書き領域に予備書き込みを行った後、予備書き込みを行った試し書き領域を用いて最適記録パワーを求め、且つ、書込対象領域が互いに異なる記録レーザパワーによってデータが書き込みされたデータ領域からなるときには、記録レーザパワーが異なるデータ領域のそれぞれに対応する最適記録パワーの全てを、データ書込手段によるデータの書き込みが開始される前に求め、且つ、レーザパワー記録手段によって所定領域に記録されたレーザパワー情報からデータ領域に対応する記録レーザパワーを取得し、
データ書込手段は、書込対象領域が互いに異なる記録レーザパワーによってデータが書き込みされたデータ領域からなるときには、書き込みを行うデータ領域のそれぞれに対応する最適記録パワーを記録レーザパワーとしてデータ領域のそれぞれにデータの書き込みを行うことを特徴とする光ディスク装置。
【請求項２】
光ディスクの試し書き領域に試し書きを行うことにより、データ領域にデータを書き込むときの最適記録パワーを求める記録パワー取得手段と、
データの書き込みの対象となっているデータ領域である書込対象領域に、記録パワー取得手段によって求められた最適記録パワーを記録レーザパワーとしてデータの書き込みを行うデータ書込手段とを備え、
書込対象領域がデータが書き込みされていない未記録領域となるときの記録パワー取得手段における最適記録パワーの取得方法と、書込対象領域が既にデータの書き込みが行われている記録済み領域となるときの記録パワー取得手段における最適記録パワーの取得方法とを異なる方法とした光ディスク装置において、
記録パワー取得手段は、書込対象領域が未記録領域となるときには未使用の試し書き領域を用いて最適記録パワーを求め、書込対象領域が記録済み領域となるときには、書込対象領域へのデータの書き込みに用いられた記録レーザパワーを用いて試し書き領域に予備書き込みを行った後、予備書き込みを行った試し書き領域を用いて最適記録パワーを求めることを特徴とする光ディスク装置。
【請求項３】
記録パワー取得手段は、書込対象領域が互いに異なる記録レーザパワーによってデータが書き込みされたデータ領域からなるときには、記録レーザパワーが異なるデータ領域のそれぞれに対応する最適記録パワーを求め、
データ書込手段は、書き込みを行うデータ領域のそれぞれに対応する最適記録パワーを記録レーザパワーとしてデータ領域のそれぞれにデータの書き込みを行うことを特徴とする請求項２に記載の光ディスク装置。
【請求項４】
データ書込手段がデータ領域にデータの書き込みを行ったときの記録レーザパワーとデータ領域とを対応付けた情報であるレーザパワー情報を光ディスクの所定領域に記録するレーザパワー記録手段を備え、
記録パワー取得手段は、レーザパワー記録手段によって所定領域に記録されたレーザパワー情報からデータ領域に対応する記録レーザパワーを取得することを特徴とする請求項２または請求項３に記載の光ディスク装置。
【発明の詳細な説明】
【技術分野】
【０００１】
本発明は、光ディスクの試し書き領域に試し書きを行うことにより、データ領域にデータを書き込むときの最適記録パワーを求める光ディスク装置に係り、より詳細には、書込対象領域が未記録領域となるときの最適記録パワーの取得方法と、書込対象領域が記録済み領域となるときの最適記録パワーの取得方法とを異なる方法とした光ディスク装置に関するものである。
【背景技術】
【０００２】
ＤＶＤ−ＲＷ等の、書き換え可能な光ディスクにデータを書き込むときには、データの書き込みに先立ち、データを記録するときの最適記録パワーを求めている。すなわち、試し書き領域（ＰＣＡ：Ｐｏｗｅｒ  Ｃａｌｉｂｒａｔｉｏｎ  Ａｒｅａ）にレーザパワーを変化させながら試し書きを行い、試し書きしたデータの再生信号から、データの記録に使用する最適記録パワーを求めている。しかし、データを書き込む領域が、データが未記録の領域の場合と、既にデータが書き込まれた領域の場合とでは、最適記録パワーが異なる。また、既にデータが書き込まれた領域の場合、どのようなレーザパワーでもってデータが書き込まれたかによっても、最適記録パワーが異なる。このため、以下に示す技術が提案されている。
【０００３】
すなわち、この技術では、データを記録しようとする領域が、未記録領域なのか、あるいは、既にデータが記録されている記録済み領域なのかを調べている。そして、データを記録しようとする領域が未記録領域である場合には、試し書き領域に、記録レーザパワーの強度を段階的に変化させた試し書きを行うとともに、試し書きしたデータの再生信号の波形から最適記録パワーを求めた後、求めた最適記録パワーを用いてデータの記録を行っている。一方、データを記録しようとする領域が記録済み領域である場合には、未記録領域の場合と同様に、試し書き領域を用いて最適記録パワーを求めている。且つ、記録済み領域を再生し、そのときの再生信号から、記録済み領域の変調度Ｍｏｐｔを求めている。次いで、求めた変調度Ｍｏｐｔを、予め装置毎に設定された変調度Ｍｔａｒｇｅｔと比較している。
【０００４】
比較した結果、記録済み領域の変調度Ｍｏｐｔが、装置に設定された変調度Ｍｔａｒｇｅｔより大きいことが判明した場合には、試し書き領域を使用して求めた最適記録パワーを若干小さくしたレーザパワーでもって、データの書き込みを行っている。一方、記録済み領域の変調度Ｍｏｐｔが、装置に設定された変調度Ｍｔａｒｇｅｔと等しいことが判明した場合には、試し書き領域を使用して求めた最適記録パワーでもってデータの書き込みを行い、記録済み領域の変調度Ｍｏｐｔが、装置に設定された変調度Ｍｔａｒｇｅｔより小さいことが判明した場合には、試し書き領域を使用して求めた最適記録パワーを若干大きくしたレーザパワーでもってデータの書き込みを行っている。
【０００５】
つまり、記録済み領域にデータの上書きを行うときでは、上書きを行う前に、記録済み領域に以前にデータを書き込みしたときのレーザパワーを、変調度として検出している。そして、試し書き領域を用いて求めた最適記録パワーを、検出したレーザパワーに基づいて補正し、補正した最適記録パワーでもって、記録済み領域への上書きを行っている。すなわち、記録済み領域に上書きを行うときのレーザパワーは、記録済み領域の状態に応じて補正される。このため、書き込み時のレーザパワーの強度が不足するという事態、あるいは、レーザパワーが不必要に強くなるという事態の発生が防止され、光ディスクの耐久性を損なうことなく、データの書き込みの信頼性が高められる、という効果が得られている（例えば、特許文献１参照）。
【特許文献１】特開２００３−９９９３３号公報（第００１５段落）
【発明の開示】
【発明が解決しようとする課題】
【０００６】
しかしながら、上記従来技術を用いたときには、以下に示す問題が生じていた。すなわち、記録済み領域の変調度と、装置のそれぞれ毎に予め設定された変調度との比較結果に従って書き込み用のレーザパワーを微調整したとしても、微調整されたレーザパワーは、予め得られた実験的なデータから、最適と判断される値となっているに過ぎない。すなわち、書き込み対称となる光ディスクの記録済み領域のその都度の状態、あるいは、そのときの光ピックアップの状態（環境温度等）に則したレーザパワーとはなっていない。このため、記録済み領域への書き込みに使用する、強度が微調整されたレーザパワーが最適値からずれる場合があり、書き込んだデータの信頼性の低下を招いたり、光ディスクの寿命の不要な短命化といった事態を招くことがあった。
【０００７】
本発明は、上記の問題点を解決するため創案されたものであり、その目的は、書込対象領域が未記録であるときと書込済みであるときとの双方において、実際に再生される信号が最も好適な信号となる記録レーザパワーでもってデータの記録を行うことのでき、且つ、書込対象領域が互いに異なる記録レーザパワーによってデータが書き込みされた領域からなるときにも、記録レーザパワーを領域のそれぞれに最も適する値とすることのでき、且つ、多数のレーザパワー情報を記憶可能とする記憶手段やレーザパワー情報の管理手段といったような、装置の複雑化を招く機能の増設を不要とすることのでき、且つ、書込対象領域が互いに異なる記録レーザパワーによってデータが書き込みされた領域からなるとともに記録レーザパワーを領域のそれぞれに最も適する値とするときにも、中断を生じることなく連続してデータの書き込みを行うことのできる光ディスク装置を提供することにある。
【０００８】
また本発明の目的は、書込を行う領域である書込対象領域が未記録領域となるときには未使用の試し書き領域を用いて最適記録パワーを求め、書込対象領域が記録済み領域となるときには、書込対象領域へのデータの書き込みに用いられた記録レーザパワーを用いて試し書き領域に予備書き込みを行った後、予備書き込みを行った試し書き領域を用いて最適記録パワーを求めることにより、書込対象領域が未記録であるときと書込済みであるときとの双方において、実際に再生される信号が最も好適な信号となる記録レーザパワーでもってデータの記録を行うことのできる光ディスク装置を提供することにある。
【０００９】
また、上記目的に加え、書込対象領域が互いに異なる記録レーザパワーによってデータが書き込みされたデータ領域からなるときには、書き込みを行うデータ領域のそれぞれに対応する最適記録パワーを用いて書き込みを行うことにより、書込対象領域が互いに異なる記録レーザパワーによってデータが書き込みされた領域からなるときにも、記録レーザパワーを領域のそれぞれに最も適する値とすることのできる光ディスク装置を提供することにある。
【００１０】
また、上記目的に加え、データ領域にデータの書き込みを行ったときの記録レーザパワーとデータ領域とを対応付けた情報であるレーザパワー情報を光ディスクの所定領域に記録することによって、光ディスクのそれぞれについてのレーザパワー情報を記憶する記憶手段を装置内部に設けることを不要とすることにより、多数のレーザパワー情報を記憶可能とする記憶手段やレーザパワー情報の管理手段といったような、装置の複雑化を招く機能の増設を不要とすることのできる光ディスク装置を提供することにある。
【課題を解決するための手段】
【００１１】
上記の課題を解決するため、本発明に係る光ディスク装置は、光ディスクの試し書き領域に試し書きを行うことにより、データ領域にデータを書き込むときの最適記録パワーを求める記録パワー取得手段と、データの書き込みの対象となっているデータ領域である書込対象領域に、記録パワー取得手段によって求められた最適記録パワーを記録レーザパワーとしてデータの書き込みを行うデータ書込手段とを備え、書込対象領域がデータが書き込みされていない未記録領域となるときの記録パワー取得手段における最適記録パワーの取得方法と、書込対象領域が既にデータの書き込みが行われている記録済み領域となるときの記録パワー取得手段における最適記録パワーの取得方法とを異なる方法とした光ディスク装置に適用している。そして、データ書込手段がデータ領域にデータの書き込みを行ったときの記録レーザパワーとデータ領域とを対応付けた情報であるレーザパワー情報を光ディスクの所定領域に記録するレーザパワー記録手段を備えている。また、記録パワー取得手段は、書込対象領域が未記録領域となるときには未使用の試し書き領域を用いて最適記録パワーを求め、書込対象領域が記録済み領域となるときには、書込対象領域へのデータの書き込みに用いられた記録レーザパワーを用いて試し書き領域に予備書き込みを行った後、予備書き込みを行った試し書き領域を用いて最適記録パワーを求め、且つ、書込対象領域が互いに異なる記録レーザパワーによってデータが書き込みされたデータ領域からなるときには、記録レーザパワーが異なるデータ領域のそれぞれに対応する最適記録パワーの全てを、データ書込手段によるデータの書き込みが開始される前に求め、且つ、レーザパワー記録手段によって所定領域に記録されたレーザパワー情報からデータ領域に対応する記録レーザパワーを取得する。また、データ書込手段は、書込対象領域が互いに異なる記録レーザパワーによってデータが書き込みされたデータ領域からなるときには、書き込みを行うデータ領域のそれぞれに対応する最適記録パワーを記録レーザパワーとしてデータ領域のそれぞれにデータの書き込みを行う。
【００１２】
すなわち、予備書き込みを行った試し書き領域を用いて最適記録パワーを求めることは、書込対象領域を用いて最適記録パワーを求めることと等価となる。このため、予備書き込みを行った試し書き領域を用いて求められた最適記録パワーは、書込対象領域へのデータの書き込みに最適な記録レーザパワーとなる。また、書込対象領域が、互いに異なる記録レーザパワーによってデータが書き込みされたデータ領域からなるときであっても、データ書込手段がデータの書き込みに用いる記録レーザパワーは、各領域に最適な記録レーザパワーとなる。また、記録済み領域へのデータの書き込みを行ったときの記録レーザパワーについては、装置内部に記憶しなくても、レーザパワー情報として光ディスクに記録される。従って、光ディスクに記録されたレーザパワー情報を読み取ると、記録済み領域にデータの書き込みを行ったときの記録レーザパワーを知ることができる。また、記録レーザパワーが異なるデータ領域のそれぞれに対応する最適記録パワーの全てを、データの書き込みが開始される前に求めているので、以後では、最適記録パワーを求めるための中断を生じることなく、時間的に連続した書き込みを行うことができる。
【００１３】
また、本発明に係る光ディスク装置は、光ディスクの試し書き領域に試し書きを行うことにより、データ領域にデータを書き込むときの最適記録パワーを求める記録パワー取得手段と、データの書き込みの対象となっているデータ領域である書込対象領域に、記録パワー取得手段によって求められた最適記録パワーを記録レーザパワーとしてデータの書き込みを行うデータ書込手段とを備え、書込対象領域がデータが書き込みされていない未記録領域となるときの記録パワー取得手段における最適記録パワーの取得方法と、書込対象領域が既にデータの書き込みが行われている記録済み領域となるときの記録パワー取得手段における最適記録パワーの取得方法とを異なる方法とした光ディスク装置に適用している。そして、記録パワー取得手段は、書込対象領域が未記録領域となるときには未使用の試し書き領域を用いて最適記録パワーを求め、書込対象領域が記録済み領域となるときには、書込対象領域へのデータの書き込みに用いられた記録レーザパワーを用いて試し書き領域に予備書き込みを行った後、予備書き込みを行った試し書き領域を用いて最適記録パワーを求めるようになっている。
【００１４】
すなわち、予備書き込みを行った試し書き領域を用いて最適記録パワーを求めることは、書込対象領域を用いて最適記録パワーを求めることと等価となる。このため、予備書き込みを行った試し書き領域を用いて求められた最適記録パワーは、書込対象領域へのデータの書き込みに最適な記録レーザパワーとなる。
【００１５】
また、上記構成に加え、記録パワー取得手段は、書込対象領域が互いに異なる記録レーザパワーによってデータが書き込みされたデータ領域からなるときには、記録レーザパワーが異なるデータ領域のそれぞれに対応する最適記録パワーを求め、データ書込手段は、書き込みを行うデータ領域のそれぞれに対応する最適記録パワーを記録レーザパワーとしてデータ領域のそれぞれにデータの書き込みを行うようになっている。すなわち、書込対象領域が、互いに異なる記録レーザパワーによってデータが書き込みされたデータ領域からなるときであっても、データ書込手段がデータの書き込みに用いる記録レーザパワーは、各領域に最適な記録レーザパワーとなる。
【００１６】
また、上記構成に加え、データ書込手段がデータ領域にデータの書き込みを行ったときの記録レーザパワーとデータ領域とを対応付けた情報であるレーザパワー情報を光ディスクの所定領域に記録するレーザパワー記録手段を備え、記録パワー取得手段は、レーザパワー記録手段によって所定領域に記録されたレーザパワー情報からデータ領域に対応する記録レーザパワーを取得するようになっている。すなわち、書込対象領域へのデータの書き込みを行ったときの記録レーザパワーについては、装置内部に記憶しなくても、レーザパワー情報として光ディスクに記録される。従って、光ディスクに記録されたレーザパワー情報を読み取ると、記録済み領域にデータの書き込みを行ったときの記録レーザパワーを知ることができる。
【発明の効果】
【００１７】
本発明によれば、予備書き込みを行った試し書き領域を用いて最適記録パワーを求めることは、書込対象領域を用いて最適記録パワーを求めることと等価となる。このため、予備書き込みを行った試し書き領域を用いて求められた最適記録パワーは、書込対象領域へのデータの書き込みに最適な記録レーザパワーとなっている。また、書込対象領域が、互いに異なる記録レーザパワーによってデータが書き込みされたデータ領域からなるときであっても、データ書込手段がデータの書き込みに用いる記録レーザパワーは、各領域に最適な記録レーザパワーとなっている。また、記録済み領域へのデータの書き込みを行ったときの記録レーザパワーについては、装置内部に記憶しなくても、レーザパワー情報として光ディスクに記録される。従って、光ディスクに記録されたレーザパワー情報を読み取ると、記録済み領域にデータの書き込みを行ったときの記録レーザパワーを知ることができる。また、記録レーザパワーが異なるデータ領域のそれぞれに対応する最適記録パワーの全てを、データの書き込みが開始される前に求めているので、以後では、最適記録パワーを求めるための中断を生じることなく、時間的に連続した書き込みを行うことができる。このため、書込対象領域が未記録であるときと書込済みであるときとの双方において、実際に再生される信号が最も好適な信号となる記録レーザパワーでもってデータの記録を行うことができる。つまり、記録済み領域に上書きするときの記録レーザパワーを、最も精度よく、最適な値とすることができる。且つ、書込対象領域が互いに異なる記録レーザパワーによってデータが書き込みされた領域からなるときにも、記録レーザパワーを領域のそれぞれに最も適する値とすることができ、且つ、多数のレーザパワー情報を記憶可能とする記憶手段やレーザパワー情報の管理手段といったような、装置の複雑化を招く機能の増設を不要とすることができ、且つ、書込対象領域が互いに異なる記録レーザパワーによってデータが書き込みされた領域からなるとともに記録レーザパワーを領域のそれぞれに最も適する値とするときにも、中断を生じることなく時間的に連続したデータの書き込みを行うことができる。
【００１８】
また、本発明によれば、予備書き込みを行った試し書き領域を用いて最適記録パワーを求めることは、書込対象領域を用いて最適記録パワーを求めることと等価となる。このため、予備書き込みを行った試し書き領域を用いて求められた最適記録パワーは、書込対象領域へのデータの書き込みに最適な記録レーザパワーとなっている。このため、書込対象領域が未記録であるときと書込済みであるときとの双方において、実際に再生される信号が最も好適な信号となる記録レーザパワーでもってデータの記録を行うことができる。すなわち、記録済み領域に上書きするときの記録レーザパワーを、最も精度よく、最適な値にすることができ、書き込みされたデータの信頼性を高めるとともに、光ディスクの寿命の不要な短命化を防止することができる。
【００１９】
また、さらに、書込対象領域が、互いに異なる記録レーザパワーによってデータが書き込みされたデータ領域からなるときであっても、データの書き込みに用いる記録レーザパワーは、各領域に最適な記録レーザパワーとなっている。このため、書込対象領域が互いに異なる記録レーザパワーによってデータが書き込みされた領域からなるときにも、記録レーザパワーを領域のそれぞれに最も適する値とすることができる。
【００２０】
また、さらに、データの書き込みを行ったときの記録レーザパワーについては、装置内部に記憶しなくても、レーザパワー情報として光ディスクに記録される。従って、光ディスクに記録されたレーザパワー情報を読み取ると、記録済み領域にデータの書き込みを行ったときの記録レーザパワーを知ることができる。このため、多数のレーザパワー情報を記憶可能とする記憶手段やレーザパワー情報の管理手段といったような、装置の複雑化を招く機能の増設を不要とすることができる。
【発明を実施するための最良の形態】
【００２１】
以下、本発明の実施の形態について図を参照して説明する。
【００２２】
図１は、本発明に係る光ディスク装置の一実施形態であるＤＶＤレコーダの電気的構成を示すブロックである。
【００２３】
図において、スピンドルモータ８により回転駆動される光ディスク７は、データの書き換えが可能な光ディスクであり、具体的にはＤＶＤ−ＲＷ、等である（以下では、単にＤＶＤと称する）。光ピックアップ９は、レーザ駆動部１２から出力される信号に従ってレーザ光を出力することにより、ＤＶＤ７にデータの書き込みを行う。また、ＤＶＤ７に書き込みされたデータの読み取りを行う。
【００２４】
レーザ駆動部１２は、録再データ処理部２３から送出されるデータに従って、光ピックアップ９を駆動する。なお、光ピックアップ９を駆動する駆動信号のレベルについては、マイクロコンピュータ（以下では、マイコンと称する）１７から指示された値に設定する。すなわち、記録レーザパワーをマイコン１７から指示されたパワーとする。
【００２５】
ＲＦアンプ部１３は、光ピックアップ９から出力される信号に基づき、トラッキングエラー信号とフォーカスエラー信号とを生成して、サーボ制御部１１に出力する。また、光ピックアップ９から出力される信号を増幅して、ピーク検出部１４、ボトム検出部１５、および、録再データ処理部２３に出力する。
【００２６】
ピーク検出部１４は、ＲＦアンプ部１３から出力される信号のピークレベルを検出してＡ／Ｄ変換部１６に出力し、ボトム検出部１５は、ＲＦアンプ部１３から出力される信号のボトムレベルを検出してＡ／Ｄ変換部１６に出力する。Ａ／Ｄ変換部１６は、ピーク検出部１４から出力されるピークレベル、および、ボトム検出部１５から出力されるボトムレベルを、デジタル値に変換してマイコン１７に出力する。
【００２７】
サーボ制御部１１は、ＲＦアンプ部１３から出力されるトラッキングエラー信号とフォーカスエラー信号とに基づいて、光ピックアップ９のトラッキングとフォーカシングとをサーボ制御する。また、録再データ処理部２３より出力される再生されたクロックに基づいて、スピンドルモータ８の回転速度をサーボ制御する。
【００２８】
入力回路部１８は、図示されない装置本体の前面パネルに設けられた電源キー等の複数のキースイッチ、および、リモートコントローラ（以下では、リモコンと称する）２８から送信される赤外線信号を受光する受光ユニット等を備えており、ユーザからの指示が入力される。また、入力されたユーザからの指示をマイコン１７に送出する。
【００２９】
チューナ部２１は、マイコン１７により指示されたチャンネルの商用放送を受信する。そして、受信して得られたアナログ映像信号（アナログ音声信号を含む）をＡ／Ｄ変換部２２に出力する。Ａ／Ｄ変換部２２は、チューナ部２１から出力されたアナログ映像信号をデジタル映像信号（デジタル音声信号を含む）に変換し、データ圧縮伸長部２４に出力する。Ｄ／Ａ変換部２５は、データ圧縮伸長部２４から出力されるデジタル映像信号（デジタル音声信号を含む）をアナログ映像信号（アナログ音声信号を含む）に変換し、外部に設けられたテレビ受像機２９に出力する。
【００３０】
録再データ処理部２３は、ＤＳＰを主要部として構成されており、ＲＦアンプ部１３より出力される信号からデジタルデータを復調する。そして、復調したデジタルデータを所定処理（８−１６復調やエラー訂正等）することによって、映像音声情報を復調する。そして、復調した映像音声情報をデータ圧縮伸長部２４に送出する。また、データ圧縮伸長部２４から送出される映像音声情報を所定処理（８−１６変調等）して得られたデータをレーザ駆動部１２に送出することによって、映像音声情報をＤＶＤ７に記録する。
【００３１】
データ圧縮伸長部２４は、図示されないエンコーダやデコーダ、ストリーム制御部等を備えており、Ａ／Ｄ変換部２２より出力されるデジタル映像信号（デジタル音声信号を含む）を、ＭＰＥＧ２方式で圧縮処理する（デジタル音声信号については、ＡＣ３方式、あるいは、ドルビー方式で圧縮処理する）。そして、圧縮処理した後、多重化して得られた映像音声情報を録再データ処理部２３に出力する。
【００３２】
また、データ圧縮伸長部２４は、録再データ処理部２３から出力される映像音声情報を、映像情報、音声情報、サブピクチャ情報に分離する。そして、分離された映像情報については、ＭＰＥＧ２方式で伸長処理した後、図示されないオンスクリーンディスプレイ回路を用いて、マイコン１７から指示された文字情報等を重畳し、Ｄ／Ａ変換部２５に出力する（音声情報については、ＡＣ３方式、あるいはドルビー方式で伸長処理し、Ｄ／Ａ変換部２５に出力する。
【００３３】
マイコン１７は、ＤＶＤレコーダとしての主要動作を制御する。すなわち、リモコン２８に再生の指示が入力されたときには、サーボ制御部１１や録再データ処理部２３、および、データ圧縮伸長部２４を制御することによって、ＤＶＤ７に記録されたデータを再生し、テレビ受像機２９に表示する。また、リモコン２８に録画の指示が入力されたときには、サーボ制御部１１や録再データ処理部２３やチューナ部２１、および、データ圧縮伸長部２４を制御することによって、チューナ部２１が受信した商用放送をＤＶＤ７に記録する（書き込む）。
【００３４】
また、ＤＶＤ７に商用放送を記録するときには、録画用のデータをＤＶＤ７に書き込む動作に先立ち、データをＤＶＤ７に書き込むときの記録レーザパワーを求める。また、データをＤＶＤ７に書き込んだときには、書き込みを行ったときの記録レーザパワーと、書き込みを行ったデータ領域とを対応付けた情報であるレーザパワー情報をＤＶＤ７に記録する。このため、記録パワー取得手段１、データ書込手段２、レーザパワー記録手段３を備えている。
【００３５】
記録パワー取得手段１は、光ディスクの試し書き領域（ＰＣＡ：Ｐｏｗｅｒ  Ｃａｌｉｂｒａｔｉｏｎ  Ａｒｅａ）に試し書きを行うことにより、データ領域にデータを書き込むときの最適記録パワーを求める（ＯＰＣ：Ｏｐｔｉｍｕｍ  Ｐｏｗｅｒ  Ｃａｌｉｂｒａｔｉｏｎ）。なお、データの書き込み対象として指示された領域（書込対象領域）が、データが書き込みされていない未記録領域となるときと、既にデータの書き込みが行われている記録済み領域となるときとでは、異なる方法を用いて最適記録パワーを求める。
【００３６】
すなわち、記録パワー取得手段１は、書込対象領域が、データが書き込みされていない未記録領域となるときでは、未使用の試し書き領域を用いて最適記録パワーを求める。一方、書込対象領域が記録済み領域となるときには、書込対象領域へのデータの書き込みに用いられた記録レーザパワーを用いて試し書き領域に予備書き込みを行った後、予備書き込みを行った試し書き領域を用いて最適記録パワーを求める（記録レーザパワーの取得方法については、後に詳述する）。
【００３７】
また、記録パワー取得手段１は、書込対象領域が互いに異なる記録レーザパワーによってデータが書き込みされた領域からなるときには、記録レーザパワーが異なる領域のそれぞれについて、書き込みを行うときの最適記録パワーを求める。なお、このときでは、データ書込手段２がデータの書き込みを行う前に、記録レーザパワーが異なるデータ領域の全てについての最適記録パワーの全てを求める。すなわち、書込対象領域が、記録レーザパワーが互いに異なるＮ個の領域からなるときでは、データの書き込みに先立って、Ｎ個の領域のそれぞれについての最適記録パワーを求める。
【００３８】
これは、書込対象領域が互いに異なる記録レーザパワーによってデータが書き込みされた領域からなる場合では、書き込みの途中で記録レーザパワーを変更しつつ書き込みを進めることになるが、このような書き込みとなるときでも、最適記録パワーを求める動作によって書き込みが中断されることのないようにするためである。
【００３９】
データ書込手段２は、書き込み対象として指示されたデータ領域である書込対象領域に、記録パワー取得手段１によって求められた最適記録パワーを用いてデータの書き込みを行う。なお、書込対象領域が互いに異なる記録レーザパワーによってデータが書き込みされたデータ領域からなるときには、書き込みを行うデータ領域のそれぞれに対応する最適記録パワーを用いて、データ領域のそれぞれにデータの書き込みを行う。
【００４０】
レーザパワー記録手段３は、データ書込手段２がデータ領域にデータの書き込みを行うと、データの書き込みに用いられた記録レーザパワーを示す情報を、データの書き込みを行ったデータ領域を示す情報に対応付けた情報であるレーザパワー情報を、ＤＶＤ７の所定領域に記録する。
【００４１】
なお、ＤＶＤ７に関する規格では、データの書き込みに用いた記録レーザパワーについては、最後に書き込みを行ったときの記録レーザパワーに関してのみ、記録することがオプションとして定義されているにすぎない。しかし、本実施形態では、書込対象領域に書き込みを行うと、書込対象領域を示す情報（書き込みを行った先頭アドレスと最終アドレス）と記録レーザパワーを示す情報とを対応付けた情報であるレーザパワー情報をＤＶＤ７に記憶するようになっている。
【００４２】
また、レーザパワー情報については、本実施形態では、ＰＣＡに隣接して外周側に設けられた領域であるＲＭＡ（Ｒｅｃｏｒｄｉｎｇ  Ｍａｎａｇｅｍｅｎｔ  Ａｒｅａ）内に記録されるＲＭＤ（Ｒｅｃｏｒｄｉｎｇ  Ｍａｎａｇｅｍｅｎｔ  Ｄａｔａ）内の未定義エリアに、上記した情報を記録するようになっている。
【００４３】
図２は、ＤＶＤにデータを書き込むときの実施形態の主要動作を示すフローチャートである。必要に応じて同図を参照しつつ、実施形態の動作を説明する。
【００４４】
ＤＶＤ７が図示されないトレイに載置され、再生位置に引き込まれたときには、マイコン１７は、ＤＶＤ７に記録されたＲＭＤを読み取って内部に記憶する。いま、ＤＶＤ７にデータが記録されているとすると、ＲＭＤには、データ領域と、そのデータ領域に書き込みを行ったときの記録レーザパワーとを対応付けたレーザパワー情報が含まれている（後に詳述する）。従って、ＤＶＤ７が再生位置に移動して、ＲＭＤが読み込まれたときには、レーザパワー情報も併せて読み込まれ、マイコン１７に記憶される。
【００４５】
上記状態において、チューナ部２１により受信された商用放送の録画、あるいは、図示されない外部からの映像信号をＤＶＤ７に録画するため、ＤＶＤ７へのデータの書き込みとなるとき（ＤＶＤ７へのデータの書き込みの指示が与えられたとき）には、記録パワー取得手段１は、データの書き込みを行うデータ領域である書込対象領域が、未記録領域なのか、あるいは、記録済み領域なのかを調べる（ステップＳ１）。記録済み領域である場合には、記録パワー取得手段１は、マイコン１７に記憶されたレーザパワー情報から、書込対象領域に以前にデータが書き込みされたときの記録レーザパワーを取得する（ステップＳ２，Ｓ３）。
【００４６】
次いで、記録パワー取得手段１は、未記録領域の試し書き領域に、取得した記録レーザパワーでもって予備書き込みを行う。なお、このときに書き込むデータである予備書込データについては、書込対象領域に既に書き込みされているデータと似ていることが望ましいので、書込対象領域に既に書き込みされているデータの一部、あるいは、前記データに近似したデータが用いられる（ステップＳ４）。
【００４７】
予備書き込みが終了すると、記録パワー取得手段１は、予備書き込みを行った試し書き領域を用いて最適記録パワーを求める。すなわち、予備書き込みを行った試し書き領域に、レーザパワーを段階的に変化させながらＯＰＣ用のデータを書き込む。そして、書き込んたデータを再生したときにＲＦアンプ部１３から出力される再生信号のピーク値（ピーク検出部１４によって検出される）と、前記再生信号のボトム値（ボトム検出部１５により検出される）とを、Ａ／Ｄ変換部２２を介して読み取り、所定の演算を行うことによって最適記録パワーを求める（ステップＳ５）。
【００４８】
最適記録パワーが求められたときには、データ書込手段２は、光ピックアップ９を駆動する信号レベルが、最適記録パワーに対応した信号レベルとなるように、レーザ駆動部１２の設定を行う。また、Ａ／Ｄ変換部２２より出力される映像信号を圧縮処理して得られた映像音声情報が録再データ処理部２３に出力されるように、データ圧縮伸長部２４の制御を行う。また、データ圧縮伸長部２４から出力される映像音声情報が所定処理されてレーザ駆動部１２に出力されるように録再データ処理部２３を制御する。すなわち、データ書込手段２は、記録パワー取得手段１によって求められた最適記録パワーを用いて、チューナ部２１が受信した商用放送を、ＤＶＤ７の書込対象領域に書き込む（ステップＳ６〜Ｓ８）。
【００４９】
そして、商用放送の録画が終了したとき、すなわち、最適記録パワーを記録レーザパワーとして、書込対象領域にデータの書き込みを終了したときには、レーザパワー記録手段３は、書込対象領域を示す情報（書込対象領域の開始アドレスと終了アドレス）と、この書込対象領域にデータを書き込みしたときの記録レーザパワーとを対応付けたレーザパワー情報を生成して、ＤＶＤ７に書き込む（ステップＳ９）。
【００５０】
一方、書込対象領域が未記録領域である場合には、動作は、ステップＳ２からステップＳ１１に移行し、記録パワー取得手段１は、試し書き領域内の未使用の領域を試し書き領域として、最適記録パワーを求める（ＯＰＣを行う）。そして後、動作をステップＳ６，Ｓ７，Ｓ８と移行し、求められた最適記録パワーを用いて、書込対象領域にデータの書き込みを行う。そして、書き込みを終了したときには、書込対象領域を示す情報と、この書込対象領域にデータを書き込みしたときの記録レーザパワーとを対応付けたレーザパワー情報を生成して、ＤＶＤ７に書き込む（ステップＳ９）。
【００５１】
以下に、書込対象領域が、互いに異なる記録レーザパワーによって書き込みされた領域からなる場合の動作について説明する。
【００５２】
すなわち、図３（Ａ）に示したように、ＤＶＤ７のデータ領域のうち、開始アドレスがＡ１、終了アドレスがＡ２である領域６１には、記録レーザパワーＬｐａ１によってデータが書き込みされており、開始アドレスがＡ２、終了アドレスがＡ３である領域６２には、記録レーザパワーＬｐａ２、開始アドレスがＡ３、終了アドレスがＡ４である領域６３には、記録レーザパワーＬｐａ３によってデータが書き込みされているとする（アドレスＡ４以降の領域６４は未記録領域）。
【００５３】
なお、終了アドレスは、正確には、記載した値から１を減じた値となっており、以下における説明（図を含む）においても、同様となっている。
【００５４】
また、書込対象領域として指示された領域（７５により示す）の開始アドレスがＡ５、終了アドレスがＡ６であるとする。すなわち、書込対象領域が、記録レーザパワーＬｐａ１によって書き込みされた領域６１、記録レーザパワーＬｐａ２によって書き込みされた領域６２、記録レーザパワーＬｐａ３によって書き込みされた領域６３、および、未記録領域６４の４つの領域に跨がっているとする。従って、このときでは、ＤＶＤ７から読み取られて、マイコン１７に記憶されたレーザパワー情報は、図４（Ａ）に示す内容となっている。
【００５５】
このため、書き込みとなるときには、記録パワー取得手段１は、データの書き込みに先立ち、以下に示す動作によって、最適記録パワーを取得する。すなわち、開始アドレスがＡ５、終了アドレスがＡ６である書込対象領域７５が、未記録領域であるかどうかを調べる。そして、アドレスＡ５からアドレスＡ４までが記録済み領域であり、アドレスＡ４からアドレスＡ６までが未記録領域７４であると判別する。また、アドレスＡ５からアドレスＡ２までの領域７１と、アドレスＡ２からアドレスＡ３までの領域６２と、アドレスＡ３からアドレスＡ４までの領域６３とでは、記録レーザパワーが異なると判別する（ステップＳ１）。
【００５６】
そして後、記録レーザパワーＬｐａ１を用いて予備書き込みを行うとともに、予備書き込みを行った領域を用いて、領域７１についての最適記録パワーＬｐｂ１を求める（ステップＳ２〜Ｓ５）。次いで、動作をステップＳ６，Ｓ７からステップＳ２に移行し、同様の方法を用いて、領域６２についての最適記録パワーＬｐｂ２を求める。また、同様の動作を繰り返すことによって、領域６３についての最適記録パワーＬｐｂ３を求める。そして後、領域７４についての最適記録パワーＬｐｂ４を求める（最適記録パワーＬｐｂ４は、未使用の試し書き領域を用いたＯＰＣによって求められる）（ステップＳ２，Ｓ１１）。次いで、動作をステップＳ６，Ｓ７，Ｓ８と移行し、データの書き込みを開始する。
【００５７】
データを書き込むときでは、データ書込手段２は、図３（Ｂ）に示したように、領域７１については、最適記録パワーＬｐｂ１を記録レーザパワーとして書き込みを行う。また、領域６２については最適記録パワーＬｐｂ２を記録レーザパワーとして書き込みを行い、領域６３については最適記録パワーＬｐｂ３を記録レーザパワーとして、領域７４については最適記録パワーＬｐｂ４を記録レーザパワーとして、データの書き込みを行う。
【００５８】
すなわち、ステップＳ８においては、最適記録パワーを求めるための動作が挟まれることなく、データの書き込みが行われることになる。このため、データの書き込みに先立って、複数の領域のそれぞれについての最適記録パワーを求める時間を確保できる限りでは、データの書き込みを開始した後では、中断することなく、録画が可能になる。このため、書込対象領域が互いに記録レーザパワーが異なる領域からなり、各領域毎に求めた最適記録パワーを用いて、各領域にデータの書き込みを行う方法を用いる場合であっても、録画途中における録画の中断という支障を生じることなく、商用放送を受信してＤＶＤ７に録画することが可能になっている。
【００５９】
そして、書込対象領域７５へのデータの書き込みを終了したときでは、レーザパワー記録手段３は、図４（Ｂ）に示すレーザパワー情報を生成して、ＤＶＤ７に書き込む。すなわち、アドレスＡ１〜アドレスＡ５の領域６０に対応する記録レーザパワーは、領域６０が書き換えされていないので、書き込み開始前の記録レーザパワーの値であるＬｐａ１であり、領域７１についてはＬｐｂ１、領域６２〜６４のそれぞれについては、Ｌｐｂ２〜Ｌｐｂ４となるレーザパワー情報を生成して、ＤＶＤ７に記録する。
【００６０】
なお、本実施形態では、上記した書き込み方法を用いるモードとは別に、録画を開始するタイミングを急ぐときに用いるクイックモードが用意されている。すなわち、このモードを用いるときでは、記録パワー取得手段１は、書込対象領域７５の開始アドレスから始まる最初の領域（このときでは、領域６１が該当する）の記録レーザパワーＬｐａ１が、書込対象領域７５の全領域において使用されていると見なす。そして、試し書き領域に対して、記録レーザパワーＬｐａ１を用いて予備書き込みを行った後、最適記録パワーＬｐｂ１を求める。
【００６１】
記録パワー取得手段１は、最適記録パワーＬｐｂ１が求まったときには、データ書込手段２にデータ書き込みの開始の指示を与え、最適記録パワーＬｐｂ１を記録レーザパワーとして、領域７５の全てにデータの書き込みを行わせる。この書き込みが終了したときには、データ書込手段２は、レーザパワー記録手段３にレーザパワー情報の生成の指示を与える。このため、レーザパワー記録手段３は、図４（Ｃ）に示すレーザパワー情報を生成して、ＤＶＤ７に記録する。
【００６２】
なお、本発明は上記実施形態に限定されず、光ディスクを記録媒体とするその他の装置（例えば、ハードディスクドライブを記録媒体とする機能を併せもったハードディスクドライブ一体型ＤＶＤレコーダ、等）にも、同様に適用することができる。
【００６３】
また、レーザパワー情報については、ＲＭＤとは異なるエリアに記録する構成とすることができる。
【００６４】
また、光ディスク７については、書き換え可能なその他の光ディスク（ＤＶＤ−ＲＡＭ等）の場合にも、同様に適用することができる。
【図面の簡単な説明】
【００６５】
【図１】本発明に係る光ディスク装置の一実施形態であるＤＶＤレコーダの電気的構成を示すブロック線図である。
【図２】最適記録パワーを求めるときの実施形態の主要動作を示すフローチャートである。
【図３】書込対象領域と記録レーザパワーとの変化を示す説明図である。
【図４】レーザパワー情報を示す説明図である。
【符号の説明】
【００６６】
１  記録パワー取得手段
２  データ書込手段
３  レーザパワー記録手段
７  ＤＶＤ（光ディスク）
６１〜６３  互いに記録レーザパワーが異なる記録済み領域
６４  未記録領域
７５  書込対象領域
Ｓ４  予備書き込みを行うステップ
Ｓ５  予備書き込みを行った領域を用いて最適記録パワーを求めるステップ
Ｓ９  レーザパワー情報をＤＶＤに記録するステップ
【図１】
2006216128.tif 000003
【図２】
2006216128.tif 000004
【図３】
2006216128.tif 000005
【図４】
2006216128.tif 000006